(57)【特許請求の範囲】
【請求項１】
２ビームのマルチビームを同時に発光する光源ユニットと、該光源ユニットからの光束を略平行光に変換するコリメートレンズと、前記光束を往路と復路に分離するビームスプリッタと、前記光束を情報記録媒体上に集光する対物レンズと、前記情報記録媒体からの反射光を受光する複数の受光素子と、を備えた光情報記録再生装置において、
前記光源ユニットから発光するマルチビームのビーム間隔を、前記情報記録媒体に形成されたトラック間隔の３倍とし、前記トラックが１周する毎に前記マルチビームを隣接するトラックにジャンプして情報を記録、若しくは再生することを特徴とする光情報記録再生装置。
【請求項２】
２ビーム以上のマルチビームを同時に発光する光源ユニットと、該光源ユニットの光束を略平行光に変換するコリメートレンズと、前記光束を往路と復路に分離するビームスプリッタと、前記光束を情報記録媒体上に集光する対物レンズと、前記情報記録媒体からの反射光を受光する複数の受光素子と、を備えた光情報記録再生装置において、
前記マルチビームの数をｂ、該マルチビームのビーム間隔をＤＴ、１周ごとにトラックジャンプを行なうトラック数をＤＴＪとした場合、ＤＴ＝ｂ＋１、ＤＴＪ＝ｂ−１としたことを特徴とする光情報記録再生装置。
【請求項３】
前記マルチビームのジャンプ動作を行なった後、少なくとも１セクタ以上の時間経過後、情報を同時に記録、若しくは再生する動作を再開することを特徴とする請求項１又は２に記載の光情報記録再生装置。
【請求項４】
２ビームのマルチビームを同時に発光する光源ユニットと、該光源ユニットの光束を略平行光に変換するコリメートレンズと、前記光束を往路と復路に分離するビームスプリッタと、前記光束を情報記録媒体上に集光する対物レンズと、前記情報記録媒体からの反射光を受光する複数の受光素子と、を備えた光情報記録再生装置において、
１周あたりのセクタ数をＳ（Ｓは奇数）、前記マルチビームの数をｂとした場合、２ビームのビーム間隔をＳ＋１トラック、１周＋１セクタごとにトラックジャンプを行なうトラック数をｂ−１として前記マルチビームのジャンプ動作を行なった後、少なくとも１セクタ以上の通過時間後、情報を同時に記録、若しくは再生する動作を再開することを特徴とする光情報記録再生装置。
【請求項５】
２ビーム以上のマルチビームを同時に発光する光源ユニットと、該光源ユニットの光束を略平行光に変換するコリメートレンズと、前記光束を往路と復路に分離するビームスプリッタと、前記光束を情報記録媒体上に集光する対物レンズと、前記情報記録媒体からの反射光を受光する複数の受光素子と、を備えた光情報記録再生装置において、
１周あたりのセクタ数をＳ、前記マルチビームの数をｂとした場合、１周当りのセクタ数Ｓは前記ビーム数ｂの任意の整数倍に１を加えた整数であり、かつｂビームのビーム間隔をＳ＋１トラック、１周＋１セクタごとにトラックジャンプを行なうトラック数をｂ−１として前記マルチビームのジャンプ動作を行なった後、所定のセクタＳＪ＝ｂ−１の通過時間後、情報を同時に記録、若しくは再生する動作を再開することを特徴とする光情報記録再生装置。
【請求項６】
２ビームのマルチビームを同時に発光する手段と、該発光手段の光束を略平行光に変換する手段と、前記光束を往路と復路に分離する手段と、前記光束を情報記録媒体上に集光する手段と、前記情報記録媒体からの反射光を受光する複数の受光手段と、を備えた光情報記録再生方法において、
前記発光手段から発光するマルチビームのビーム間隔を、前記情報記録媒体に形成されたトラック間隔の３倍とし、前記トラックが１周する毎に前記マルチビームを隣接するトラックにジャンプして情報を記録、若しくは再生することを特徴とする光情報記録再生方法。
【請求項７】
２ビーム以上のマルチビームを同時に発光する手段と、該発光手段の光束を略平行光に変換する手段と、前記光束を往路と復路に分離する手段と、前記光束を情報記録媒体上に集光する手段と、前記情報記録媒体からの反射光を受光する複数の受光手段と、を備えた光情報記録再生方法において、
前記マルチビームの数をｂ、該マルチビームのビーム間隔をＤＴ、１周ごとにトラックジャンプを行なうトラック数をＤＴＪとした場合、ＤＴ＝ｂ＋１、ＤＴＪ＝ｂ−１としたことを特徴とする光情報記録再生方法。
【請求項８】
前記マルチビームのジャンプ動作を行なった後、少なくとも１セクタ以上の時間経過後、情報を同時に記録、若しくは再生する動作を再開することを特徴とする請求項６又は７に記載の光情報記録再生方法。
【請求項９】
２ビームのマルチビームを同時に発光する手段と、該発光手段の光束を略平行光に変換する手段と、前記光束を往路と復路に分離する手段と、前記光束を情報記録媒体上に集光する手段と、前記情報記録媒体からの反射光を受光する複数の受光手段と、を備えた光情報記録再生方法において、
１周あたりのセクタ数をＳ（Ｓは奇数）、前記マルチビームの数をｂとした場合、２ビームのビーム間隔をＳ＋１トラック、１周＋１セクタごとにトラックジャンプを行なうトラック数をｂ−１として前記マルチビームのジャンプ動作を行なった後、少なくとも１セクタ以上の通過時間後、情報を同時に記録、若しくは再生する動作を再開することを特徴とする光情報記録再生方法。
【請求項１０】
２ビーム以上のマルチビームを同時に発光する手段と、該発光手段の光束を略平行光に変換する手段と、前記光束を往路と復路に分離する手段と、前記光束を情報記録媒体上に集光する手段と、前記情報記録媒体からの反射光を受光する複数の受光手段と、を備えた光情報記録再生方法において、
前記マルチビームの数をｂ、１周あたりのセクタ数をＳ（Ｓはｂの任意の整数倍に１を加えた整数）とした場合、ｂビームのビーム間隔をＳ＋１トラック、１周＋１セクタごとにトラックジャンプを行なうトラック数をｂ−１として前記マルチビームのジャンプ動作を行なった後、所定のセクタＳＪ（ＳＪ＝ｂ−１）の通過時間後、情報を同時に記録、若しくは再生する動作を再開することを特徴とする光情報記録再生方法。
【請求項１１】
請求項６乃至１０の何れかに記載の光情報記録再生方法を、コンピュータが動作可能なプログラムとして記録したことを特徴とする光情報記録媒体。
【発明の詳細な説明】
【０００１】
【発明の属する技術分野】
本発明は、光情報記録再生に関し、さらに詳しくは、マルチビームにより光情報記録媒体に記録、再生する方法に関するものである。
【０００２】
【従来の技術】
従来例として、特開平７−２７２２７４号公報には、従来の高速化手段に加えて更に２倍以上の高速ダビングを可能にする光ディスクダビング装置について開示されている。これによると、複数トラックの情報を並列に再生および記録することができるマルチビームヘッドと、複写しようとするディスクのフォーマットに応じて所定トラック分トラックジャンプさせる手段とを用いることを特徴としている。図１０に本公報のアクセス方式を示す。１から４の数字はそれぞれ１周目から４周目の記録、再生を示し、矢印位置で内周から外周へ１トラックジャンプしている。
しかし、この従来例は、隣接したトラックを同時に記録、再生し、１周ごとにジャンプしているため、光源のビーム間隔を非常に狭くしなければならず、その間隔の精度を厳密に管理する必要がある。また、仮に製造できたとしても、狭いピッチの２種類の光源を正確に分離する必要があり、その点でも調整と設計に多大の労力とコストを必要とする。
【０００３】
【発明が解決しようとする課題】
以上のように、従来のマルチビームによる記録再生方法では、理論的には可能であるが、実際問題としてそれを実現する光源の製造と、ビーム分離のための光学系の設計が困難となり、それと併せて製造コストの高騰を招くといった問題がある。
本発明は、かかる課題に鑑み、２ビーム以上の光を用いて並列に情報記録媒体に情報を記録、再生し、安価でしかも設計が容易な光情報記録再生装置を提供することを目的とする。
【０００４】
【課題を解決するための手段】
本発明はかかる課題を解決するために、請求項１は、２ビームのマルチビームを同時に発光する光源ユニットと、該光源ユニットからの光束を略平行光に変換するコリメートレンズと、前記光束を往路と復路に分離するビームスプリッタと、前記光束を情報記録媒体上に集光する対物レンズと、前記情報記録媒体からの反射光を受光する複数の受光素子と、を備えた光情報記録再生装置において、前記光源ユニットから発光するマルチビームのビーム間隔を、前記情報記録媒体に形成されたトラック間隔の３倍とし、前記トラックが１周する毎に前記マルチビームを隣接するトラックにジャンプして情報を記録、若しくは再生することを特徴とする。
従来のマルチビーム方式の光記録媒体の記録再生方法は、隣接したトラックを同時に記録、再生し、１周ごとにジャンプしているため、光源のビーム間隔を非常に狭くしなければならず、その間隔の精度を厳密に管理する必要がある。また、仮に製造できたとしても、狭いピッチの２種類の光源を正確に分離する必要があり、その点でも調整と設計に多大の労力とコストを必要とした。この解決方法として、ビームの間隔を広げてジャンプ位置にビームが来た時に隣接トラックにジャンプするようにすれば、連続したトラックの移行を実現することができる。
かかる発明によれば、ビームの間隔をトラック間隔の３倍として、トラックが１周する毎に隣接するトラックにジャンプすることにより、トラックの連続性を維持しながら、光源の製造を容易とし製造コストを低減することができる。
請求項２は、２ビーム以上のマルチビームを同時に発光する光源ユニットと、該光源ユニットの光束を略平行光に変換するコリメートレンズと、前記光束を往路と復路に分離するビームスプリッタと、前記光束を情報記録媒体上に集光する対物レンズと、前記情報記録媒体からの反射光を受光する複数の受光素子と、を備えた光情報記録再生装置において、前記マルチビームの数をｂ、該マルチビームのビーム間隔をＤＴ、１周ごとにトラックジャンプを行なうトラック数をＤＴＪとした場合、ＤＴ＝ｂ＋１、ＤＴＪ＝ｂ−１としたことを特徴とする。
ビームの数を増やせば、記録、再生速度を高めることができる。このときビーム間隔とトラックジャンプを行うトラック数を、いくつにすればよいかを一般化しておくことは重要である。ここで既知となる数字は、マルチビームの数である。従って、この数からビーム間隔とトラックジャンプを行うトラック数を算出する式を導く。
かかる発明によれば、マルチビームの数をｂ、このマルチビームのビーム間隔をＤＴ、１周ごとにトラックジャンプを行なうトラック数をＤＴＪとした場合、ＤＴ＝ｂ＋１、ＤＴＪ＝ｂ−１とした関係を導くことにより、マルチビーム数から一義的にビーム間隔とトラック数を決定することができる。
【０００５】
請求項３は、前記マルチビームのジャンプ動作を行なった後、少なくとも１セクタ以上の時間経過後、情報を同時に記録、若しくは再生する動作を再開することも本発明の有効な手段である。
トラックジャンプは、セクタ間の短い時間に行なう必要がある。しかし、記録媒体は媒体自体、装置への取り付け時などに偏心が生じる。この偏心のため、隣接トラックへジャンプを行なっても、ジャンプの方向が誤ったり、ジャンプを失敗する可能性がある。そこで、１セクタ分犠牲にしてジャンプしてから１セクタ通過後アクセスを再開する。かかる技術手段によれば、マルチビームのジャンプ動作を行なった後、少なくとも１セクタ以上の時間経過するのを待って、情報を同時に記録、若しくは再生する動作を再開することにより、ジャンプした直後の不安定な状態を無視することができる。
請求項４は、２ビームのマルチビームを同時に発光する光源ユニットと、該光源ユニットの光束を略平行光に変換するコリメートレンズと、前記光束を往路と復路に分離するビームスプリッタと、前記光束を情報記録媒体上に集光する対物レンズと、前記情報記録媒体からの反射光を受光する複数の受光素子と、を備えた光情報記録再生装置において、１周あたりのセクタ数をＳ（Ｓは奇数）、前記マルチビームの数をｂとした場合、２ビームのビーム間隔をＳ＋１トラック、１周＋１セクタごとにトラックジャンプを行なうトラック数をｂ−１として前記マルチビームのジャンプ動作を行なった後、少なくとも１セクタ以上の通過時間後、情報を同時に記録、若しくは再生する動作を再開することを特徴とする。
請求項３の方式では、１周に１セクタ使えない部分があるため、無駄な容量が発生することになる。そこで、１周と１セクタ分記録、再生を行ない、１トラックジャンプして、１セクタ通過時間後、記録／再生を継続させると、無駄な部分が無くなる。かかる発明によれば、１周あたりのセクタ数をＳ、前記マルチビームの数をｂとした場合、２ビームのビーム間隔をＳ＋１トラック、１周＋１セクタごとにトラックジャンプを行なうトラック数をｂ−１としてマルチビームのジャンプ動作を行なった後、少なくとも１セクタ以上の通過時間後、情報を同時に記録、若しくは再生する動作を再開するので、記録領域の無駄を無くすことができる。
【０００６】
請求項５は、２ビーム以上のマルチビームを同時に発光する光源ユニットと、該光源ユニットの光束を略平行光に変換するコリメートレンズと、前記光束を往路と復路に分離するビームスプリッタと、前記光束を情報記録媒体上に集光する対物レンズと、前記情報記録媒体からの反射光を受光する複数の受光素子と、を備えた光情報記録再生装置において、１周あたりのセクタ数をＳ、前記マルチビームの数をｂとした場合、１周当りのセクタ数Ｓは前記ビーム数ｂの任意の整数倍に１を加えた整数であり、かつｂビームのビーム間隔をＳ＋１トラック、１周＋１セクタごとにトラックジャンプを行なうトラック数をｂ−１として前記マルチビームのジャンプ動作を行なった後、所定のセクタＳＪ＝ｂ−１の通過時間後、情報を同時に記録、若しくは再生する動作を再開することを特徴とする。
セクタ数とマルチビームのビーム数がわかれば、一義的にビーム間隔とトラックジャンプを行なうトラック数を決定することができる。かかる発明によれば、１周あたりのセクタ数をＳ、マルチビームの数をｂとした場合、ｂビームのビーム間隔をＳ＋１トラック、１周＋１セクタごとにトラックジャンプを行なうトラック数をｂ−１として、マルチビームのジャンプ動作を行なった後、所定のセクタの通過時間後、情報を同時に記録、若しくは再生する動作を再開することにより、いかなるビーム数でも最適な条件が設定でき、記録領域の無駄を無くすことができる。また、ビーム数ｂを増加する場合は、１周のセクタ数をｂｎ＋１（ｎは任意の整数）とすれば実現できる。かかる技術手段によれば、１周のセクタ数をｂｎ＋１（ｎは任意の整数）とすることにより、ビーム数の如何にかかわらず無駄なセクタをなくすことができる。また、ビーム数が複数の場合、最初のビームがトラックジャンプするセクタ数に対して、次のビームがトラックジャンプするときは、前のセクタ数より１つ少なくなり、最終的にセクタ数はゼロになる。従って、ビーム数より１少ないセクタからトラックジャンプを行えば、最後のビームでセクタがゼロになり、それ以降連続して記録、再生が可能となる。かかる技術手段によれば、ジャンプ動作を行った後のセクタ数をビーム数より１少なくすることにより、無駄なセクタを無くすことができる。
請求項６は、２ビーム以上のマルチビームを同時に発光する手段と、該発光手段の光束を略平行光に変換する手段と、前記光束を往路と復路に分離する手段と、前記光束を情報記録媒体上に集光する手段と、前記情報記録媒体からの反射光を受光する複数の受光手段と、を備えた光情報記録再生方法において、前記発光手段から発光するマルチビームのビーム間隔を、前記情報記録媒体に形成されたトラック間隔の３倍とし、前記トラックが１周する毎に前記マルチビームを隣接するトラックにジャンプして情報を記録、若しくは再生することを特徴とする。
かかる発明によれば、請求項１と同様の作用効果を奏する。
【０００７】
請求項７は、前記情報記録媒体の１周当りのセクタ数Ｓが前記ビーム数ｂの任意の整数倍に１を加えた整数であることも本発明の有効な手段である。
ビーム数ｂを増加する場合は、１周のセクタ数をｂｎ＋１（ｎは任意の整数）とすれば実現できる。かかる技術手段によれば、１周のセクタ数をｂｎ＋１（ｎは任意の整数）とすることにより、ビーム数の如何にかかわらず無駄なセクタをなくすことができる。
請求項８は、前記マルチビームのジャンプ動作を行なった後、所定のセクタをＳＪとしたとき、ＳＪ＝ｂ−１を満足する整数であることも本発明の有効な手段である。
ビーム数が複数の場合、最初のビームがトラックジャンプするセクタ数に対して、次のビームがトラックジャンプするときは、前のセクタ数より１つ少なくなり、最終的にセクタ数はゼロになる。従って、ビーム数より１少ないセクタからトラックジャンプを行えば、最後のビームでセクタがゼロになり、それ以降連続して記録、再生が可能となる。かかる技術手段によれば、ジャンプ動作を行った後のセクタ数をビーム数より１少なくすることにより、無駄なセクタを無くすことができる。
請求項９は、２ビーム以上のマルチビームを同時に発光する手段と、該発光手段の光束を略平行光に変換する手段と、前記光束を往路と復路に分離する手段と、前記光束を情報記録媒体上に集光する手段と、前記情報記録媒体からの反射光を受光する複数の受光手段と、を備えた光情報記録再生方法において、前記発光手段から発光するマルチビームのビーム間隔を、前記情報記録媒体に形成されたトラック間隔の３倍とし、前記トラックが１周する毎に前記マルチビームを隣接するトラックにジャンプして情報を記録、若しくは再生することを特徴とする。かかる発明によれば、請求項１と同様の作用効果を奏する。
【０００８】
請求項７は、２ビーム以上のマルチビームを同時に発光する手段と、該発光手段の光束を略平行光に変換する手段と、前記光束を往路と復路に分離する手段と、前記光束を情報記録媒体上に集光する手段と、前記情報記録媒体からの反射光を受光する複数の受光手段と、を備えた光情報記録再生方法において、前記マルチビームの数をｂ、該マルチビームのビーム間隔をＤＴ、１周ごとにトラックジャンプを行なうトラック数をＤＴＪとした場合、ＤＴ＝ｂ＋１、ＤＴＪ＝ｂ−１としたことを特徴とする。
かかる発明によれば、請求項２と同様の作用効果を奏する。
請求項８は、前記マルチビームのジャンプ動作を行なった後、少なくとも１セクタ以上の時間経過後、情報を同時に記録、若しくは再生する動作を再開することも本発明の有効な手段である。かかる技術手段によれば、請求項３と同様の作用効果を奏する。
請求項９は、２ビームのマルチビームを同時に発光する手段と、該発光手段の光束を略平行光に変換する手段と、前記光束を往路と復路に分離する手段と、前記光束を情報記録媒体上に集光する手段と、前記情報記録媒体からの反射光を受光する複数の受光手段と、を備えた光情報記録再生方法において、１周あたりのセクタ数をＳ（Ｓは奇数）、前記マルチビームの数をｂとした場合、２ビームのビーム間隔をＳ＋１トラック、１周＋１セクタごとにトラックジャンプを行なうトラック数をｂ−１として前記マルチビームのジャンプ動作を行なった後、少なくとも１セクタ以上の通過時間後、情報を同時に記録、若しくは再生する動作を再開することを特徴とする。
かかる発明によれば、請求項４と同様の作用効果を奏する。
請求項１０は、２ビーム以上のマルチビームを同時に発光する手段と、該発光手段の光束を略平行光に変換する手段と、前記光束を往路と復路に分離する手段と、前記光束を情報記録媒体上に集光する手段と、前記情報記録媒体からの反射光を受光する複数の受光手段と、を備えた光情報記録再生方法において、前記マルチビームの数をｂ、１周あたりのセクタ数をＳ（Ｓはｂの任意の整数倍に１を加えた整数）とした場合、ｂビームのビーム間隔をＳ＋１トラック、１周＋１セクタごとにトラックジャンプを行なうトラック数をｂ−１として前記マルチビームのジャンプ動作を行なった後、所定のセクタＳＪ（ＳＪ＝ｂ−１）の通過時間後、情報を同時に記録、若しくは再生する動作を再開することを特徴とする。
かかる発明によれば、請求項５と同様の作用効果を奏する。
請求項１１は、請求項６乃至１０の何れかに記載の光情報記録再生方法を、コンピュータが動作可能なプログラムとして記録したことを特徴とする。
かかる発明によれば、情報記録媒体にプログラムを記録して持ち運びが可能となる。
【０００９】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の実施形態に係る光ピックアップ装置における光学系の概略構成図である。本発明の光ピックアップ装置の構成は、２つの発光点を有する光源ユニット１と、光源ユニット１からの光束を略平行光に変換するコリメートレンズ２と、光の往路と復路を分離するビームスプリッタ３と、光束を集光する対物レンズ４と、光記録媒体５からの反射光を集光する検出レンズ６と、反射光を光電変換する受光素子７、８から構成されている。
光源ユニット１には、半導体レーザチップがマウントされており、この半導体レーザチップには２つのレーザ発光点ＬＤ１、ＬＤ２が設けられている。光源ユニット１から出射した２つのビームは、コリメートレンズ２で略平行光に変換される。その後両ビームは、ビームスプリッタ３を透過し、対物レンズ４により集光され、情報記録媒体５の情報記録トラック上に照射される。情報記録媒体５からの反射光は、照射時の光路を逆行し、再び対物レンズ４を通ってビームスプリッタ３に到達する。この反射光は照射時とは異なりビームスプリッタ３により反射され、検出レンズ６により集光されて受光素子７、８に導かれる。受光素子７、８はサーボ信号の生成方法により適宜分割されている。受光素子７、８で検知された光記録媒体からの反射光は、トラックエラー信号、フォーカス信号、ウォブル信号及び再生信号として、図示しない制御回路に出力される。
本実施形態では半導体レーザチップに２つのレーザ発光点ＬＤ１、ＬＤ２が設けられた構成を示しているが、図２のように一発光点をもつ２つの半導体レーザ９、１０から出た各光束を、光路合成プリズム１１によって合成する構成であってもよい。或いは図３のように、２つのレーザーチップを１つのケース中に並列配置した構成１２であってもよい。
【００１０】
図４（ａ）は、情報記録媒体から情報の記録、再生を行なう例を示す図であり、図示していないスピンドルモータで情報記録媒体２１を反時計方向（矢印方向）に回転させ、図の裏側方向からＰＵを対向させ記録、再生を行なう。また、（ｂ）はエリア２０の内部を拡大した図であり、トラックがスパイラル状に形成されている。
ここで、メディア２１の回転方向は図４（ａ）の矢印方向になるが、ビームの走査はメディアを固定して考えると、反対方向になる。そこで、あらためて図１０の従来例の特開平７−２７２２７４号公報のアクセス方式を参照すると、１から４の数字はそれぞれ１周目から４周目の記録、再生を示し、ｂ１、ｂ２はビームの番号を示す。ビームｂ１がｔ２の▲１▼にくると、ｔ２からｔ３の▲２▼にジャンプし、ビームｂ２がｔ３の▲１▼にくると、ｔ３からｔ４の▲２▼にジャンプする。このように、従来はビーム間隔が１トラックの間隔でジャンプ位置にくると、隣接トラックにジャンプしていた。このように、隣接したトラックを同時に記録、再生し、１周ごとにジャンプしているため、光源のビーム間隔を非常に狭くしなければならず、その間隔の精度を厳密に管理する必要がある。また、仮に製造できたとしても、狭いピッチの２種類の光源を正確に分離する必要があり、その点でも調整と設計に多大の労力とコストを必要とする。
これに対し、図５は、本発明の第１の実施形態に係るアクセス方法を表す図である。図５が図１０と異なる点は、ビームｂ１、ｂ２の間隔が３トラックになっている点である。つまり、ビームｂ１がｔ２の▲１▼にくると、ｔ２からｔ３の▲２▼にジャンプし、ビームｂ２がｔ５の▲１▼にくると、ｔ５からｔ６の▲２▼にジャンプする。この様に３トラックの距離をあけて同時に記録、再生動作を行い、ジャンプ位置にビームが来た時に隣接トラックにジャンプするようにしているので、連続したトラックの移行を実現することができる。これにより、トラックの連続性を維持しながら、光源の製造を容易とし製造コストを低減することができる。
【００１１】
図６は、本発明の第２の実施形態に係るアクセス方法を表す図である。図６が図５と異なる点は、ビーム数を２ビームから３ビームにした点と、ジャンプ位置でのジャンプトラック数が２トラック分になった点である。つまり、ビームｂ１がｔ１の▲１▼にくると、ｔ１からｔ３の▲２▼にジャンプし、ビームｂ２がｔ５の▲１▼にくると、ｔ５からｔ７の▲２▼にジャンプし、ビームｂ３がｔ９の▲１▼にくると、ｔ９からｔ１１の▲２▼にジャンプする。３ビームの場合はビーム間のトラック距離ＤＴ＝４（ＤＴ＝０は自分のトラック、ＤＴ＝１、ＤＴ＝−１は両隣りのトラックを示す。）とし、ジャンプを行なう際のトラック距離をＤＴＪ＝２（ＤＴＪ＝０は自分のトラック、ＤＴＪ＝１、ＤＴＪ＝−１は両隣りのトラックを示す。）とすれば、一般形にすることができる。すなわち、ビームの数をｂとすると、各ビーム間の距離ＤＴ、ジャンプを行なう際のトラック距離をＤＴＪは次の様に表せる。
ＤＴ＝ｂ＋１
ＤＴＪ＝ｂ−１
【００１２】
次に、図６、図１０では、セクタ間の短い時間にトラックジャンプを行なう必要がある。しかし、媒体は媒体自体、装置への取り付け時などに偏心が生じる。この偏心のため、隣接トラックへジャンプを行なっても、ジャンプの方向が誤ったり、ジャンプを失敗する可能性がある。そこで、ジャンプした後、１セクタ通過後アクセスを再開するようにすれば、ジャンプ直後の不安定要素を減少することができる。図７は、本発明の第３の実施形態に係るアクセス方法を表す図である。つまり、ビームｂ１の▲１▼の終了から１セクタ以上の領域３０を設け、ジャンプ位置にくるとｔ２の▲１▼からｔ３の▲２▼にジャンプを開始し、１セクタ以上の領域３０の通過時間後、ｔ３の▲２▼から記録、再生を再開する。
ただし、この方式では１周に１セクタが使えないため容量の無駄が発生する。そこで、１周と１セクタ記録、再生を行ない１セクタジャンプ時間を持たせると、無駄な部分が無くなる。図８は、本発明の第４の実施形態に係るアクセス方法を表す図である。これは一周を７セクタとした例で、ビーム間隔は８トラックで一周と１セクタ記録、再生を行ない、１トラックジャンプし１セクタ通過時間後、記録、再生を継続させる。つまり、ビームｂ１の▲１▼の終了から１周分のセクタ領域３１を設け、ジャンプ位置にくるとｔ２の▲１▼からｔ３の▲２▼にジャンプを開始し、１セクタ以上の領域３２の通過時間後、ｔ３の▲２▼から記録、再生を再開する。これを繰り返すと、ビームｂ２の▲１▼からｔ１１の▲２▼にジャンプしても、その間のセクタは５番目のトラックが隙間なく記録され、以後、無駄な部分が無くなる。これは、１周のセクタ数を奇数とすれば、実現できる。１周あたりのセクタ数をＳ（Ｓ＝２ｎ＋１）とすると、ビーム間距離ＤＴは次の式で与えられる。
0003919578.tif 000002
【００１３】
また、ビームの数ｂを増やす場合は、１周のセクタ数をｂｎ＋１（ｎは任意の整数）とすれば実現できる。図９は、本発明の第５の実施形態に係るアクセス方法を表す図である。図９が図８と異なる点は、ビーム数を２ビームから３ビームにした点と、ジャンプ位置でのジャンプトラック数が２トラック分になり、最初のトラックジャンプから記録、再生を再開するセクタ数を２セクタにした点である。また、トラックジャンプの距離ＤＴＪ、ビーム間のトラック間隔ＤＴ、ジャンプ後通過させるセクタ数ＳＪは次の様に表される。
ＤＴＪ＝ｂ−１
ＤＴ＝ｂｎ＋１
ＳＪ＝ｂ−１
つまり、ビームｂ１の(1)の終了がジャンプ位置にくると、ｔ２の(1)からｔ４の(2)にジャンプを開始し、２セクタ以上の領域３３の通過時間後、ｔ４の(2)から記録、再生を再開する。これを繰り返すと、ビームｂ３の(1)からｔ１９の(2)にジャンプしても、その間のセクタは６番目のトラックが隙間なく記録され、以後、無駄な部分が無くなる。
以上のように、ビーム数が複数の場合、最初のビームがトラックジャンプするセクタ数に対して、次のビームがトラックジャンプするときは、前のセクタ数より１つ少なくなり、最終的にセクタ数はゼロになる。従って、ビーム数より１少ないセクタからトラックジャンプを行えば、最後のビームでセクタがゼロになり、それ以降連続して記録、再生が可能となる。
【００１４】
【発明の効果】
以上記載のごとく請求項１、６の発明によれば、ビームの間隔をトラック間隔の３倍として、トラックが１周する毎に隣接するトラックにジャンプすることにより、トラックの連続性を維持しながら、ビーム光源の製造を容易とし、その結果製造コストを低減することができる。
また請求項２、７では、マルチビームの数をｂ、このマルチビームのビーム間隔をＤＴ、１周ごとにトラックジャンプを行なうトラック数をＤＴＪとした場合、ＤＴ＝ｂ＋１、ＤＴＪ＝ｂ−１とした関係を導くことができ、マルチビーム数から一義的にビームとトラックジャンプの間隔を決定することができる。
また請求項３、８では、マルチビームのジャンプ動作を行なった後、少なくとも１セクタ以上の時間経過するのを待って、情報を同時に記録、若しくは再生する動作を再開することにより、ジャンプした直後の不安定な状態を無視することができる。
また請求項４、９では、１周あたりのセクタ数をＳ、前記マルチビームの数をｂとした場合、ビーム間隔をＳ＋１トラック分確保し、１周＋１セクタごとにトラックジャンプを行なうトラック数をｂ−１としてマルチビームのジャンプ動作を行なった後、少なくとも１セクタ以上の通過時間後、情報を同時に記録、若しくは再生する動作を再開するので、記録領域の無駄を無くすことができる。
また請求項５、１０では、１周あたりのセクタ数をＳ、マルチビームの数をｂとした場合、ｂビームのビーム間隔をＳ＋１トラック、１周＋１セクタごとにトラックジャンプを行なうトラック数をｂ−１として、マルチビームのジャンプ動作を行なった後、所定のセクタの通過時間後、情報を同時に記録、若しくは再生する動作を再開することにより、いかなるビーム数でも最適なビームとトラックジャンプの間隔の条件が設定でき、記録領域の無駄を無くすことができる。また、１周のセクタ数をｂｎ＋１（ｎは任意の整数）とすることにより、ｂビーム目に必ずセクタ数がゼロとなり、ビーム数の如何にかかわらず無駄なセクタをなくすことができる。また、ジャンプ動作を行った後のセクタ数をビーム数より１少なくすることにより、無駄なセクタを無くすことができる。
また請求項１１では、情報記録媒体にプログラムを記録して持ち運びが可能となる。
【図面の簡単な説明】
【図１】本発明の実施形態に係る光ピックアップ装置における光学系の概略構成図である。
【図２】本発明の２つの光源を合成した光源ユニットの概略構成図である。
【図３】本発明の２つの光源を１つのケースに収納した光源ユニットの概略構成図である。
【図４】（ａ）は情報記録媒体から情報の記録、再生を行なう例を示す図、（ｂ）はトラック部分を拡大した図である。
【図５】本発明の第１の実施形態に係るアクセス方法を表す図である。
【図６】本発明の第２の実施形態に係るアクセス方法を表す図である。
【図７】本発明の第３の実施形態に係るアクセス方法を表す図である。
【図８】本発明の第４の実施形態に係るアクセス方法を表す図である。
【図９】本発明の第５の実施形態に係るアクセス方法を表す図である。
【図１０】従来のアクセス方法を表す図である。
【符号の説明】
１  光源ユニット、２  コリメートレンズ、３  ビームスプリッタ、４  対物レンズ、５  光記録媒体、６  検出レンズ、７、８  受光素子
【図１】
0003919578.tif 000003
【図２】
0003919578.tif 000004
【図３】
0003919578.tif 000005
【図４】
0003919578.tif 000006
【図５】
0003919578.tif 000007
【図６】
0003919578.tif 000008
【図７】
0003919578.tif 000009
【図８】
0003919578.tif 000010
【図９】
0003919578.tif 000011
【図１０】
0003919578.tif 000012